(57)【要約】【課題】偽造を困難にし、安価に提供可能なスレッド入り印刷用紙及びこれを使用した印刷物を提供することを目的とするものである。【解決手段】偽造防止のために基紙の抄紙段階でスレッドが抄きこまれたスレッド入り印刷用紙であって、スレッドは、基紙の表側紙層と裏側紙層の間に形成され、前記表側紙層と前記裏側紙層には、スレッドが形成された位置に、スレッドを幅方向に全て表出する大きさの単位開口部が所定の間隔で形成され、表裏に形成された単位開口部の一部が、所定の周期で重なり合うように配置されたスレッド入り印刷用紙、および、スレッドが印刷物の短辺に沿って形成されたスレッド入り印刷用紙を使用した印刷物を提供する。【選択図】  図１
2008063683.tif 000002
【特許請求の範囲】
【請求項１】
偽造防止のために基紙の抄紙段階でスレッドが抄きこまれたスレッド入り印刷用紙であって、
スレッドは、基紙の表側紙層と裏側紙層の間に形成され、
前記表側紙層と前記裏側紙層には、スレッドが形成された位置に、スレッドを幅方向に全て表出する大きさの単位開口部が所定の間隔で形成され、
表裏に形成された単位開口部の一部が、所定の周期で重なり合うように配置されたことを特徴とするスレッド入り印刷用紙。
【請求項２】
請求項１に記載のスレッド入り印刷用紙において、
スレッドはセキュリティ表示部が形成された透明なプラスチックフィルムからなり、スレッドの少なくとも表裏何れかの表出面に接着剤層が形成されたことを特徴とするスレッド入り印刷用紙。
【請求項３】
請求項１に記載のスレッド入り印刷用紙において、
セキュリティ表示部は、樹脂部と反射層からなる光回折構造又は文字を含むパターン、変色インキ、印刷図柄、の何れか又はこれらの組み合わせが形成されたことを特徴とするスレッド入り印刷用紙。
【請求項４】
請求項１〜３に記載のスレッド入り印刷用紙を使用した印刷物であって、スレッドは、印刷物の短辺に沿って形成されたことを特徴とするスレッド入り印刷用紙を使用した印刷物。
【発明の詳細な説明】
【技術分野】
【０００１】
本発明は、偽造防止のために基紙の抄紙段階でスレッドが抄きこまれたスレッド入り印刷用紙及びこのスレッド入り印刷用紙を使用した印刷物に関する。
【背景技術】
【０００２】
従来から、紙の層間にスレッドと呼ばれるプラスチックの薄い帯、または、金糸等を挿入した偽造防止用紙が紙幣をはじめとする有価証券類に多く使用されてきた。
有価証券のような認証のための証書には、偽造・改竄防止のために、その証書の面（以下、券面という）に細かい幾何学模様の印刷や、インキが盛り上がる凹版インキによる印刷が行われている。
また、普通の状態では目視できないが、ブラックライトにより紫外線を照射すると、蛍光を発色し、隠れていた図柄等が見えてくる蛍光インキを使用した印刷等も行われている。
さらに、高度な技術によって作製されたホログラムをプラスチックフィルム上に形成し、スレッド状にして用紙の間に抄き込んで偽造防止用紙として使用する方法や、紙の表面に前記ホログラム形成層を転写して偽造防止手段として使用する方法が実用され始めた。
前記スレッド入り用紙に関しては、偽造防止効果をより高めるために、スレッドの幅を広くしてスレッドを見やすくしたり、スレッドを複数にする試みが行われている。
しかし、スレッドの幅を広くすると、スレッドの価格が高くなりコストアップとなる。
また、商品券等において、スレッドが見えている面の裏面の偽造防止を強化するとなると、さらにホログラムの箔を設ける等をしなければならず、やはりコストアップとなる。
そこで、偽造防止用紙に窓を設け、スレッドを表裏両方の面から見えるようにした「スレッド入り偽造防止用紙」が提供されている（例えば、特許文献１参照）。
この「スレッド入り偽造防止用紙」は、図９に示すような、スレッド紙１００に、表裏を貫通する開口部（窓）３０を設け、表裏からスレッド２０を確認できるようにしたものである。また、窓の部分を独特な形状にすることで、意匠性を高めることにより偽造・改竄を一層困難にすることができるとしている。
【０００３】
【特許文献１】特開２００１−１７２８９７号公報
【発明の開示】
【発明が解決しようとする課題】
【０００４】
特許文献１に開示されている技術は、表裏の偽造防止効果を高めるために用紙の表裏を貫通する開口部を設け、そこにスレッドを通したに過ぎない。
そこで本発明のスレッド入り印刷用紙及びこれを使用した印刷物は、さらに、偽造を困難にしたスレッド入り印刷用紙、および、これを使用した安価な印刷物を提供することを目的とするものである。
【課題を解決するための手段】
【０００５】
前記課題の目的を達成するために、本発明のスレッド入り印刷用紙の第一の態様は、偽造防止のために基紙の抄紙段階でスレッドが抄きこまれたスレッド入り印刷用紙であって、スレッドは、基紙の表側紙層と裏側紙層の間に形成され、前記表側紙層と前記裏側紙層には、スレッドが形成された位置に、スレッドを幅方向に全て表出する大きさの単位開口部が所定の間隔で形成され、表裏に形成された単位開口部の一部が、所定の周期で重なり合うように配置されたことを特徴とするものである。
【０００６】
また、第二の態様は、第一の態様において、スレッドはセキュリティ表示部が形成された透明なプラスチックフィルムからなり、スレッドの少なくとも表裏何れかの表出面に接着剤層が形成されたことを特徴とするものである。
【０００７】
また、第三の態様は、第一の態様において、セキュリティ表示部は、樹脂部と反射層からなる光回折構造又は文字を含むパターン、変色インキ、印刷図柄、の何れか又はこれらの組み合わせが形成されたことを特徴とするものである。
【０００８】
また、第四の態様は、第一，第二，第三に記載のスレッド入り印刷用紙を使用した印刷物であって、スレッドは、印刷物の短辺に沿って形成されたことを特徴とするものである。
【発明の効果】
【０００９】
１）本発明のスレッド入り印刷用紙の第一の態様のように、偽造防止のために基紙の抄紙段階でスレッドが抄きこまれたスレッド入り印刷用紙であって、スレッドは、基紙の表側紙層と裏側紙層の間に形成され、前記表側紙層と前記裏側紙層には、スレッドが形成された位置に、スレッドを幅方向に全て表出する大きさの単位開口部が所定の間隔で形成され、表裏に形成された単位開口部の一部が、所定の周期で重なり合うように配置されたことによって、片側だけにスレッドが表出するものや、単に表裏貫通する開口部が形成されたものと比較して極めて偽造困難なスレッド入り印刷用紙とすることができる。また、抄紙工程でスレッドが抄き込まれるためにスレッドによる凹凸が発生しないスレッド入り印刷用紙とすることができる。
２）また、第二の態様にように、第一の態様において、スレッドはセキュリティ表示部が形成された透明なプラスチックフィルムからなり、スレッドの少なくとも表裏何れかの表出面に接着剤層が形成されたことによって、基紙からスレッドを引き抜くことができなく、偽造困難なスレッド入り印刷用紙とすることができる。
３）また、第三の態様のように、第一の態様において、セキュリティ表示部は、樹脂部と反射層からなる光回折構造又は文字を含むパターン、変色インキ、印刷図柄、の何れか又はこれらの組み合わせが形成されたことによって、スレッドにバリエーションを与えることができる。
４）また、第四の態様のように、第一，第二，第三に記載のスレッド入り印刷用紙を使用した印刷物であって、スレッドは、印刷物の短辺に沿って形成されたことによって、スレッドの長さを短い状態で使用することができ、印刷物の単価を低く抑えることができる。
【発明を実施するための最良の形態】
【００１０】
以下、図面を参照して、本発明のスレッド入り印刷用紙及びこれを使用した印刷物について説明する。
図１は、本発明のスレッド入り印刷用紙の一例について説明するための図，図２は、図１のＡ−Ａ線断面図，図３は、本発明のスレッド入り印刷用紙の他の一例について説明するための図，図４は、図３のＸ−Ｘ線断面図，図５は、図３のＹ−Ｙ線断面図，図６は、スレッドの一例について説明するための図，図７は、抄紙機の一例について説明するための図，図８は、開口部及びスレッドの位置精度について説明するための図，図９は、従来のスレッド入り偽造防止用紙の一例について説明するための図，である。
以下の説明では、スレッドの一例として透明なプラスチックフィルムに光回折構造が形成され、反射層を伴ったスレッドの例で説明する。
【００１１】
図１を参照して、本発明のスレッド入り印刷用紙の一例について説明する。
本発明のスレッド入り印刷用紙１は、帯状のスレッド２が基紙の表裏面に表出する状態で抄きこまれたスレッド入り印刷用紙である。
即ち、スレッド入り印刷用紙１の表から見た場合は、スレッド２が表開口部３ｂから裏側を構成する基紙（以下、裏側紙層という）１１上に、幅方向が全て視認される状態で表出し、スレッド入り印刷用紙１の裏から見た場合は、スレッド２が裏開口部３ｃから表側を構成する基紙（以下、表側紙層という）１２上に幅方向が全て視認される状態で表出する。
また、一定の周期で表裏を貫通した表裏開口部３ａの間に浮んだ状態で表出する。
表側紙層１２、裏側紙層１１に形成された開口部は、単位開口部３が１〜複数連なった状態で構成される。例えば、図１の表開口部３ｂは、表裏開口部３ａを含め、４つの単位開口部３で構成されて形成されており、裏開口部３ｃは、表裏開口部３ａを含め、１つの単位開口部３で構成され、形成されている。
図１において、表裏開口部３ａと裏開口部３ｃの間には、開口部が形成されておらず表裏からスレッド２が視認されない部分（１単位開口部で形成されている）になっている。
【００１２】
印刷部４には、図に示すような「商品券」の文字や、「１０，０００円」の金額が印刷されている。図示しないが、スレッド入り印刷用紙１の表裏にも上記の印刷部４の他にデザインや注意文言などの印刷部が形成される。
図に示すように、スレッド２は、印刷物の短辺に沿って形成されたことによって、スレッドの長さを短い状態で使用することができ、印刷物の単価を低く抑えることができる。
【００１３】
図２を参照して、図１のＡ−Ａ線断面について説明する。
本発明のスレッド入り印刷用紙１に使用される基紙は、先ず、抄紙の最初のユニットで裏側紙層１１が抄紙機の毛布上に形成され、次のユニットで、表側紙層１２が裏側紙層１１の上に積層されて抄紙される。
裏側紙層１１が抄紙機の毛布上に形成される際に、開口部３ｃが同時に形成され、表側紙層１２が積層される際に、スレッド２を一緒に抄き込み、開口部３ｂが同時に形成される。
【００１４】
図２で、矢印３Ｂの方向には表開口部３ｂを通して、また、矢印３Ａの方向には表裏開口部３ａを通して、また、矢印３Ｃの方向には裏開口部３ｃを通して、スレッド２が視認される。
矢印１１ＡＣの方向には表側紙層１２，裏側紙層１１いずれにも開口部が形成されておらず、スレッド２を視認することができない。
【００１５】
図３を参照して、本発明のスレッド入り印刷用紙の他の一例について説明する。
本発明のスレッド入り印刷用紙１は、帯状のスレッド２が基紙の表裏面に表出する状態で抄きこまれたスレッド入り印刷用紙である。
即ち、スレッド入り印刷用紙１の表から見た場合は、表開口部３ｂから裏側紙層１１上にスレッド２が幅方向が全て視認される状態で表出し、スレッド入り印刷用紙１の裏から見た場合は、裏開口部３ｃから表側紙層１２上にスレッド２が幅方向が全て視認される状態で表出する。
また、一定の周期で表裏を貫通した表裏開口部３ａの間にスレッド２が浮んだ状態で表出する。
表側紙層１２、裏側紙層１１に形成された開口部は、単位開口部３が２つ連なった状態で構成される。例えば、図３の表開口部３ｂ，裏開口部３ｃ共に、表裏開口部３ａを含め、２つの単位開口部３で構成されて形成されている。
図３に示すスレッド入り印刷用紙の例では、図１の例で説明したような、スレッド２が表裏いずれからも視認されない部分は存在しない。
即ち、図３に示す例のように表側紙層１２、裏側紙層１１に単位開口部３が２つ連なった状態で構成される開口部を形成する場合、抄紙の際に高い精度が要求され、精度が保たれない場合には、１単位開口部毎に１単位開口部より小さい大きさの表裏開口部３ａが発現する。
【００１６】
図４を参照して、図３のＡ−Ａ線断面について説明する。
図２で説明したように、本発明のスレッド入り印刷用紙１に使用される基紙は、先ず、抄紙の最初のユニットで裏側紙層１１が抄紙機の毛布上に形成され、次のユニットで表側紙層１２が裏側紙層１１の上に積層されて抄紙される。
裏側紙層１１が抄紙機の毛布上に形成される際に開口部３ｃが同時に形成され、表側紙層１２が積層される際にスレッド２を一緒に抄き込み開口部３ｂも同時に形成される。
【００１７】
図４で、矢印３Ｂの方向には表開口部３ｂを通して、また、矢印３Ａの方向には表裏開口部３ａを通して、また、矢印３Ｃの方向には裏開口部３ｃを通して、スレッド２が視認される。
【００１８】
図５を参照して、図３のＹ−Ｙ線断面について説明する。
本発明のスレッド入り印刷用紙１は、表側紙層１２と、裏側紙層１１が積層された状態で形成されている。
開口部３ｂは、表側紙層１２と、裏側紙層１１が抄紙される際に同時に形成される。
また、スレッド２は、裏側紙層１１の上部に表側紙層１２が積層される際に、抄き込まれる。したがって、開口部３ｂの周縁は、紙の繊維が溶かされた構造になっているために直線状にはなっていない。
図示しないが、スレッド２は、裏側紙層１１に接着剤によって固定されている。
【００１９】
図６を参照して、スレッドの一例について説明する。
スレッド２は、透明なプラスチックフィルム２２の表出する面に接着剤層２１が形成され、その反対面に樹脂層２２が形成されている。
本実施の形態で説明するスレッドは、光回折構造であるために、樹脂層２２には微細な凹凸が形成され、樹脂層２２の表面には透明または不透明の反射層２４が形成される。さらに、反射層２４の表面には接着剤層２５が形成される。
接着剤層２１，２５には、水溶性又は熱可塑性の接着剤が形成され、スレッド２とスレッド入り印刷用紙基紙とを接着する役割を担う。
接着剤層２１は、スレッド２とスレッド入り印刷用紙基紙の表側紙層１２を接着する役割を担い、接着剤層２５は、スレッド２とスレッド入り印刷用紙基材の裏側紙層１１を接着する役割を担う。
【００２０】
基紙とスレッド２の接着のための接着剤層が水溶性の接着剤で構成された場合は、基紙が製造されている途中で活性化されて接着性を発現する。
また、接着剤層が熱可塑性の接着剤で構成された場合は、基紙が乾燥装置の中で活性化され接着性を発現する。
抄紙の工程で、艶出し工程がある場合は、艶出しユニットでより接着を強固にする。
【００２１】
ここで、スレッド２を構成する光回折構造について説明する。
光回折構造には、光回折構造が形成されたベースフィルム毎使用される場合と、光回折構造が形成された樹脂部だけが対象物に転写されて使用される二つの場合がある。
光回折構造がベースフィルム毎使用される場合は、ベースフィルムの片側に熱硬化性の樹脂層が形成され、熱硬化性の樹脂層に凹凸構造が形成され、凹凸構造の上に反射層が形成され、その上に粘着剤層または接着剤層が形成され、テープ状にスリットされ、またはラベル状に打ち抜かれて使用される。
光回折構造が形成された樹脂部だけが対象物に転写されて使用される場合は、耐熱性を有する基材フィルム上に剥離層が形成され、その上に、例えば、熱硬化性の樹脂層が形成され、熱硬化性の樹脂層に凹凸構造が形成され、反射層が形成され、その上に感熱接着剤層が形成されて、熱せられた金属の型等によって、接着剤層を含めた極めて薄い光回折構造形成層が紙などの印刷物上に転写されて使用される。
【００２２】
前記反射層は、前述の光回折構造形成層の凹凸面に反射性を与えるために設けられる。反射層には、不透明な反射層と、透明性を有する反射層とがあるが、意匠効果を高める手段として使用する場合は、アルミニウムや、ニッケルなどの金属による不透明な反射層を形成する。反射層を形成する方法としては、真空蒸着法，スパッタリング法，イオンブレーティング法等があり、目的によって使い分ける。
【００２３】
また、剥離層，熱硬化性樹脂層，接着剤層，粘着剤層等の形成手段として、グラビアコート，ダイコート，ナイフコート，ロールコート等の一般的なコーティング方法、および、シルクスクリーン等の印刷方法等があり、その中から選択して使用する。
【００２４】
スレッド２の樹脂層２３，反射層２４の部分は、前述の光回折構造を形成する以外に、文字を含むパターン形成部、また、変色インキを使用した印刷部，通常の印刷図柄等を印刷した印刷部で構成することができる。
文字を含むパターン部と使用する場合、マイクロ文字をあしらったパターンや、これらパターンに反射層を付加し、金属光沢を付与したりして使用することができる。
変色インキを使用した印刷部として使用する場合は、例えば特殊な波長領域で発色するインキを用いたり、角度を変化させると異なる色で反射する液晶インキを用いて使用することができる。
また、通常の印刷図柄等を印刷した印刷部で構成する場合は、例えば、図１で例示した商品券に関連する印刷内容や、金額などを隠し文字として印刷し、使用することができる。
【００２５】
図７，図８を参照して、抄紙機の一例と開口部及びスレッドの位置精度について説明する。
図７は、本発明のスレッド入り印刷用紙基紙の製造に使用する円網型抄紙機の一例を示す概念図である。
紙料懸濁液が入った糟５１０の円網シリンダー５１の上網には、裏側紙層の開口部に相当する型を金属，樹脂，紙等で作製し、取り付ける。
開口部に相当する型の形状は、長方形，正方形，円等任意の形状とすることができる。
糟５１０の円網シリンダー５１の上網を装着した円網シリンダーで吸い上げた裏側紙層の紙料は毛布５４に転移され、円網シリンダー５２の槽５２０の上に運ばれ、円網シリンダー５２で吸い上げられた表側紙層がその上に重ねられ、２つの紙層が抄合わされてスレッド入り印刷用紙の基紙が抄造される。
スレッド２の挿入は、裏側紙層に表側紙層が積層される直前で行われる。
裏側紙層と裏側紙層とが積層された基紙１０は、毛布５４に転移された状態で抄紙機の乾燥装置５３の中に移動する。
【００２６】
図８に示す例は、裏側紙層１１と裏側紙層１２とが積層された時点で、開口部３ｂ，３ｃが微妙にずれて積層された状態を示している。また、スレッド２が抄き込まれた位置も、必ずしも開口部の中央部にはなっていない。したがって、基紙の断面は、図２，図４で説明したようなきれいな状態にはなっていないことが多い。
このことは、基紙の流れ方向に対しても言える。
【００２７】
（使用材料）
本発明のスレッド入り印刷用紙には、有価証券で利用される坪量７０〜１５０ｇ／ｍ2の基紙を使用される。そのため、表側紙層と裏側紙層のつけ比率は、１０：５０〜２５：１２０の範囲内で行う。
また、紙料は、ＮＢＫＰ，ＬＢＫＰに、白土，紙力増強剤，サイズ剤，硫酸バンドを適量加え調製する。
セキュリティ表示部分にホログラムを形成するスレッドは、厚さ１６〜２５μｍのプラスチックフィルムに、厚さ２〜６μｍの熱硬化性の樹脂層を形成し、樹脂層に光回折構造を形成し、光回折構造の表面に厚さ０．０４〜０．０８μｍのアルミニウム等による不透明な反射層を形成し、反射層上及びプラスチックフィルムの表面にビニル系の感熱接着剤を５〜１０μｍの厚さに塗工し、スリッターで帯状にスリットして作製する。
【００２８】
（実施例）
スレッドとして、市販の２５μｍポリエチレンテレフタレートのフィルムに酢酸ビニル系の感熱接着剤を７μｍの厚さに塗工し、前記接着剤層の反対側に厚さ４μｍのアクリル系の樹脂層を形成し、前記樹脂層にホログラムを形成し、その上に０．０５μｍのアルミニウムによる反射層を形成し、反射層上に酢酸ビニル系の感熱接着剤を８μｍの厚さに塗工し、総厚約５０μｍのテープを作製した。
２槽式円網抄紙機の１槽目のシリンダーに、矩形状の開口部を形成するための樹脂板を取り付けた上網を装着し、２槽目の丸網シリンダーには帯状凹部を形成するための樹脂板を取り付けた上網を装着し、前記２槽の間から、上述のスレッドを供給して坪量１０５ｇ／ｍ2のスレッド入り印刷用紙を試作した。
試作したスレッド入り印刷用紙は、印刷適正も良好で、スレッド表出面の幅方向両端の紙繊維の被覆状態，接着状態共に良好で、また、スレッドと裏側基紙との接着も良好であった。
また、スレッド入り印刷用紙の表裏面に形成された矩形状の開口部から、および、表裏を貫通する開口部から、スレッドに形成されたホログラムを明瞭に視認することができた。
【産業上の利用可能性】
【００２９】
本発明のスレッド入り印刷用紙は、商品券や株券などの有価証券，紙幣に利用される。
【図面の簡単な説明】
【００３０】
【図１】本発明のスレッド入り印刷用紙の一例について説明するための図である。
【図２】図１のＡ−Ａ線断面図である。
【図３】本発明のスレッド入り印刷用紙の他の一例について説明するための図である。
【図４】図３のＸ−Ｘ線断面図である。
【図５】図３のＹ−Ｙ線断面図である。
【図６】スレッドの一例について説明するための図である。
【図７】抄紙機の一例について説明するための図である。
【図８】開口部及びスレッドの位置精度について説明するための図である。
【図９】従来のスレッド入り偽造防止用紙の一例について説明するための図である。
【符号の説明】
【００３１】
１，１００  スレッド入り印刷用紙
２，２０  スレッド
３      単位開口部
３ａ，３ｂ，３ｃ，３０  開口部
４      印刷部
１０    スレッド入り印刷用紙基紙
１１    裏側紙層
１２    表側紙層
２１，２５  接着剤層、接着剤
２２    透明なプラスチックフィルム
２３    樹脂層
２４    反射層
５１    裏側紙層形成ユニット
５２    表側紙層形成ユニット
５３    乾燥装置
５４    毛布
５１０，５２０  槽
【図１】
2008063683.tif 000003
【図２】
2008063683.tif 000004
【図３】
2008063683.tif 000005
【図４】
2008063683.tif 000006
【図５】
2008063683.tif 000007
【図６】
2008063683.tif 000008
【図７】
2008063683.tif 000009
【図８】
2008063683.tif 000010
【図９】
2008063683.tif 000011